(57)【特許請求の範囲】
【請求項１】
起伏可能な背凭れ（４）と、
該背凭れの下部に一体的に形成された延長部（４ａ）の裏面に左右両側に長孔（４ｃ）が形成されたケーシング（４ｂ）が設けられ、該ケーシング内に収納された取付板（５ｂ）に取付けられたピン（５ｃ）と、
該ピンに基端部（６ａ）が回転自在に軸支され、該基端部から垂直方向に延長されると共に水平方向に延長された肘掛け部（６ｂ）を有するアーム（６）と、
該アームの先端側に形成された股受け取付部（６ｄ）に取付けられ、患者が腰掛けた時に尻の一部と太股の大部分が乗る大きさの股受け（７）と、
前記アームの前記基端部より前記肘掛け部側に近接した位置に固定され、外周部に鍔部（８ａ）が形成されると共に前記アームを前記ピンを支点として回動させる扇型のブラケット（８）と、
一端が前記取付板に軸支され他端が前記ブラケットの一端に軸支され、前記ピンを支点に前記アームを回動させて前記股受けを開脚、閉脚方向に回動させるアクチュエータとより構成し、
前記股受けの閉脚時には該股受けに患者の尻および太股部を乗せ、かつ、前記アームに肘を乗せ、また、前記股受けの開脚時には該股受けによって患者の太股部が開脚され、かつ、前記アームを手で握れるようにしたことを特徴とする産婦人科検診台の股受け装置。
【発明の詳細な説明】
【技術分野】
【０００１】
本発明は、産婦人科や泌尿器科等において患者を仰臥させ、その仰臥状態で開脚させて診療や施術を行うための産婦人科検診台の股受け装置に関する。
【背景技術】
【０００２】
従来における産婦人科検診台としては、特開平４−３５２９６０号公報（特許文献１）に開示された発明がある。この発明は、患者の尻を乗せる座部があり、その座部の前方に股受けが左右方向に変移して患者の下肢を開脚する構造となっている。また、肘掛けが背凭れと一体的に形成され、あるいは、股受けと一体的に形成された構造のものであった。
【０００３】
このような構造の産婦人科検診台にあっては、着座時に腰を乗せる座部が存在するので着座が容易に行えると共に安楽姿勢を維持できるが、仰臥状態へ変移させた場合に座部が存在することから検診や施術時に座部が邪魔になるといった問題がある。そこで、従来は仰臥状態に変移させた時に座部を背凭れ側に移動することで検診や治療が行い易くしたが、構造が複雑となり製作に時間が掛りコストが高くなるといった問題があった。
【０００４】
また、肘掛けは背凭れや股受けと一体的に形成されているため、背凭れや股受けが仰臥状態に変移した時は、該肘掛けは患者の肘部分から離れた方向に移動するため肘掛けとしての作用を得ることができないといった問題があった。
【０００５】
そして、前記した座部が存在せず、患者の着座時の座部として利用する股受け構造の産婦人科検診台としては、特開平８−３０８８９０号公報（特許文献２）に開示された発明がある。この発明は、背凭れが起立状態である着座時には股受けが閉じられた状態となっているので、該股受けに患者が尻を乗せることで着座姿勢を維持することができる構造である。
【先行技術文献】
【特許文献】
【０００６】
【特許文献１】特開平４−３５２９６０号公報
【特許文献２】特開平８−３０８８９０号公報
【発明の概要】
【発明が解決しようとする課題】
【０００７】
ところで、特許文献１，２にあっては、背凭れが起立した状態で患者が着座状態時にあっては、肘掛けに患者が腕を乗せて安楽姿勢を得ることは可能であるが、背凭れを伏倒し患者を仰臥状態にした時に肘掛け、あるいは手で握るという作用を全く得ることができないといった問題があった。
【０００８】
本発明は前記した問題点を解決せんとするもので、その目的とするところは、股受けの閉脚と開脚動作を肘掛けを兼ねるアームによって行い、閉脚状態における着座時には患者の尻を股受けで受け、かつ、前記アームを肘掛けとして利用でき、また、診療や施術時の仰臥状態時には前記アームの握り手部を手で握ることができる産婦人科検診台の股受け装置を提供せんとするにある。
【課題を解決するための手段】
【０００９】
本発明の産婦人科検診台の股受け装置は前記した目的を達成せんとするもので、請求項１の手段は、起伏可能な背凭れと、該背凭れの下部に一体的に形成された延長部の裏面に左右両側に長孔が形成されたケーシングが設けられ、該ケーシング内に収納された取付板に取付けられたピンと、該ピンに基端部が回転自在に軸支され、該基端部から垂直方向に延長されると共に水平方向に延長された肘掛け部を有するアームと、該アームの先端側に形成された股受け取付部に取付けられ、患者が腰掛けた時に尻の一部と太股の大部分が乗る大きさの股受けと、前記アームの前記基端部より前記肘掛け部側に近接した位置に固定され、外周部に鍔部が形成されると共に前記アームを前記ピンを支点として回動させる扇型のブラケットと、一端が前記取付板に軸支され他端が前記ブラケットの一端に軸支され、前記ピンを支点に前記アームを回動させて前記股受けを開脚、閉脚方向に回動させるアクチュエータとより構成し、前記股受けの閉脚時には該股受けに患者の尻および太股部を乗せ、かつ、前記アームに肘を乗せ、また、前記股受けの開脚時には該股受けによって患者の太股部が開脚され、かつ、前記アームを手で握れるようにしたことを特徴とする。
【発明の効果】
【００１１】
本発明は前記したように、股受けの開脚と閉脚を行うためのアームを、患者が股受けの閉脚状態である着座姿勢の時にアームの肘掛け部に肘を乗せることができ、また、股受けの開脚状態である仰臥姿勢の時にはアームを手で握ることが可能であることから、着座状態時には安楽な姿勢を維持することができ、仰臥状態時には手で握ることで安定した姿勢を維持できるものである。従って、股受けの閉脚と開脚動作を肘掛けを兼ねるアームによって行うことにより、開脚機構と肘掛け部の構造を簡素化することができる。
【００１２】
また、アクチュエータとアームの基端部とをブラケットによって接続してアームが略平行移動するようにしたので、股受けの開脚や閉脚時にアームの肘掛け部分が背凭れの側面より大きく突出することがなく、従って、医師や看護士がアームに当接することがなく安心して診察や施術を行うことができる等の効果を有するものである。
【図面の簡単な説明】
【００１３】
【図１】本発明の産婦人科検診台の股受け装置において股受けを閉脚した着座状態を示す斜視図である。
【図２】股受けを閉脚した状態の要部を示す平面図である。
【図３】図２の側面図である。
【図４】股受けを開脚し診療や施術を行う状態の斜視図である。
【図５】股受けを開脚した状態の要部を示す平面図である。
【図６】図５の側面図である。
【発明を実施するための形態】
【００１４】
以下、本発明の産婦人科検診台の股受け装置の一実施例を図面と共に説明する。
１は病院の床面に設置する基台、２は該基台１に対し図示しないモータ駆動によって回転可能に取付けられた台板、３は該台板２の外周の一部に立設状態で取付けられ、油圧ポンプや油タンクおよび油圧シリンダからなる油圧回路が収納された収納ボックス、４は該収納ボックス３の頂部に回動自在に軸支された背凭れである。
【００１５】
そして、背凭れ４は前記収納ボックス３に収納された油圧シリンダ（図示せず）によって図１に示す患者が着座した起立状態と、図４に示す患者の診療や施術を行う伏倒状態に変移可能な構造となっている。前記背凭れ４の下部に一体的に形成された延長部４ａの裏面には後述する股受け駆動機構がケーシング４ｂ内に収納されている。なお、ケーシング４ｂには後述するアーム６の基端部６ａを外部に出すための長孔４ｃが形成されている（図１，４参照）。
【００１６】
次に、股受け駆動機構Ａの具体例を図２，３，５，６と共に説明する。
５は前記ケーシング４ｂに固定するための固定板にして、該固定板５には枠状の補強部材５ａと、該補強部材５ａに取付けられた後述するアーム６を軸支するための取付板５ｂが一体的に取付けられている。
【００１７】
アーム６はパイプ形状であって左右２本で形成されており、それぞれが平面視においてコ字状に形成され開放部が対向するように配置されている。そして、前記取付板５ｂに回動自在にピン５ｃによって軸支された基端部６ａと、該基端部６ａから垂直方向に延長されると共に水平方向に延長された肘掛け部６ｂと、該肘掛け部６ｂから向かい合う方向に延長され先端部に股受け板６ｃが取付けられる股受け取付部６ｄとからなる。
【００１８】
なお、前記股受け板６ｃには図１，４に示すようにクッション材で構成した股受け７が取付けられており、水平部７ａの長さは患者が股受け７に腰掛けた時に尻の一部と太股の大部分が乗る大きさとなっている。従って、股受け７の垂直部７ｂには膝の裏面から脹ら脛部分が略合致するように形成されている。また、実施例にあっては股受け７を股受け板６ｃに取付ける場合を示したが、股受け７を股受け取付部６ｄに直接取付けてもよい。
【００１９】
８は一端が前記アーム６の基端部６ａより肘掛け部６ｂ側に近接した位置に固定された扇状のブラケットである。９は複動式の油圧シリンダ（以下、単に油圧シリンダという）にして、一端（シリンダ側）が前記取付板５ｂに軸支され、ロッド側が前記ブラケット８の他端に軸支されている。そして、ブラケット８の円弧状部の外周には高さのある鍔部８ａが形成されている。この鍔部８ａの高さは前記ケーシング４ｂの長孔４ｃの開口を内部から覆う大きさに形成されているので、鍔部８ａは内部の機構部が見えないように目隠しをする機能を備えている。
【００２０】
なお、図面ではブラケット８を扇型のもので示したが、油圧シリンダ９に油を供給してロッドを吐出させた時にアーム６をピン５ｃを支点として回動させた時に、ブラケット８の先端側（油圧シリンダとの軸支側）が外側方向に突出しないような形状であれば如何様な形状のものであってもよい。
【００２１】
１０は患者の診療や施術時に発生する汚物を廃棄するためのトレーにして、本発明の実施例ではトレー１０が常に股受け７ａの裏面側に位置しており、図１の着座状態および図４の診療・施術状態においてトレー１０が常に水平状態を維持するような公知の構造となっている。また、トレー１０としては前後動可能な構造のものであっても良い。
【００２２】
次に、前記した構造の股受け装置の動作を説明するに、図１に示す患者を導入して股受け７に着座させる状態においては、２つの油圧シリンダ９のロッドが油圧シリンダ９に収納される側に油が供給されている状態なので、ブラケット８は初期位置にあり２つのアーム６の股受け板６ｃは近接した状態となっている。従って、患者が着座する時には尻を股受け７の奥側に乗せることで、尻と太股の大部分が股受け７で支持され着座状態となる。
【００２３】
なお、この状態においてアーム６の肘掛け部６ｂは図１に示すように患者の肘を乗せ易い位置となっているので、アーム６を肘掛けとして利用することが可能となる。
【００２４】
この状態において診療や施術を行うために仰臥させるには、図示しない油圧シリンダによって背凭れ４を伏倒方向に回動させることで患者は仰臥状態となる。背凭れが伏倒されると患者の尻は背凭れ４の下方で支持され、また、太股の全体が股受け７の水平部７ａに乗った状態となり、かつ、膝の裏面側は水平部７ａと垂直部７ｂとの境の屈曲部に位置し、膝から下方の一部分は垂直部７ｂに位置した安定した状態となる。
【００２５】
次いで、２つの油圧シリンダ９のロッドが突出する側に油を供給すると、該油圧シリンダ９のロッドがブラケット８をアーム６の基端部６ａと取付板５ｂとの軸支点であるピン５ｃを支点として図５において上方に向かって回動させるので、左右の股受け板６ｄは離開する方向に移動する。従って、仰臥状態の患者の下肢は開脚方向に移動して診療や施術を行える状態となる。
【００２６】
この仰臥状態において、アーム６の肘掛け部６ｂより手前側が仰臥状態の患者の手が届く位置となっているので、診察や施術を安定した姿勢で受けることが可能となる。なお、仰臥状態において患者が手で握るアーム６の部分は患者の身長によって、長身の患者の場合は肘掛け部６ｂにも手が届き、低身長の患者の場合には肘掛け部６ｂの手前側屈曲部（図４参照）を握ることとなる。
【００２７】
そして、診察や施術が終了した後は、油圧シリンダ９に対して逆方向から油を供給すると、前記した動作とは逆動作によって股受け７は閉じられ、完全に閉脚状態になった後に背凭れ４を起立方向に戻すことで図１の状態に戻るので、患者は着座状態から立ち上がることで離席することができる。
【００２８】
ところで、前記した股受け７の閉脚状態から開脚状態への移行時においてアーム６は油圧シリンダ９のロッド吐出と収納時においてブラケット８を介してピン５ｃを支点として回動することから、アーム６の肘掛け部分は背凭れ４の側面を略平行に移動することとなり、従って、閉脚時には肘掛け部６ｂに着座状態の患者の肘が置き易い位置となり、また、開脚時には肘掛け部６ｂや、肘掛け部６ｂの手前の部分を仰臥状態の患者の手で握り易い位置となるものである。
【００２９】
なお、前記した実施例にあっては、複動式の油圧シリンダ９を使用してロッドの吐出と収納を油圧によって股受け７の開脚と閉脚を行う場合を示したが、単動式の油圧シリンダを使用した場合のロッドの収納（閉脚動作）を行う場合には、左右のブラケット間あるいはアーム間にスプリングを張設し、該スプリングのバネ力によって行うようにしてもよい。
【００３０】
また、前記した実施例にあっては、駆動源として油圧シリンダを使用して股受け７の開脚、閉脚を行う場合について説明したが、油圧シリンダに変えて電気モータを駆動源として開脚、閉脚を行うようにしたアクチュエータであってもよい。
【００３１】
さらに、本発明にあっては、基台１に対して治療椅子を乗せる台板２を回転可能な構造としたが、これは患者が着座した後に開脚動作が行われる姿勢を、医師等と対面状態で行うと患者に対して羞恥心を与える。そこで、着座から回転まではカーテンによって仕切られた空間で行い、かつ、回転して医師等と対面した状態でカーテンを開放することで患者の羞恥心を和らげることができるので、このような回転機構を設けた。
【００３２】
前記した実施例では、背凭れ４が伏倒した後に左右の油圧シリンダが同時に動作して左右の股受け７が同時に開脚、閉脚するが、股関節に疾患のある患者の診療や施術の場合には、疾患のある側の股受け７を動かさないようにしてもよく、また、左右の股受けの開脚角度を異なるようにしてもよい。
【符号の説明】
【００３３】
１          基台
２          台板
３          収納ボックス
４          背凭れ
５          固定板
５ｃ        ピン
６          アーム
６ａ        基端部
６ｂ        肘掛け部
７          股受け
８          ブラケット
９          油圧シリンダ
１０        トレー
【図１】
0005517168.tif 000002
【図２】
0005517168.tif 000003
【図３】
0005517168.tif 000004
【図４】
0005517168.tif 000005
【図５】
0005517168.tif 000006
【図６】
0005517168.tif 000007